(57)【特許請求の範囲】
【請求項１】
コンピュータ実装方法であって、
電子デバイスの画面のユーザ・インターフェース上に複数の構成要素を階層に配置するステップであって、階層は、１つ以上の層を有し、各層が前記ユーザ・インターフェースの前記構成要素のうちの少なくとも１つを有する、前記配置するステップと、
ユーザ・インターフェースのレイヤに第１のコンテンツ・アイテムに関連付けられた積み重ねられた画像のパイルを表示することによって、階層の構造に従ってユーザ・インターフェースを提示するステップであって、パイルは、パイルに積み重ねられた多数の画像があることを視覚的に示す、前記提示するステップと、
積み重ねられた画像のパイルとインタラクションするための第１のユーザ入力に応答して、一連の多数の画像を表示するようにパイルを拡張するステップと、
第１のコンテンツ・アイテムから第２のコンテンツ・アイテムに移動するための第２のユーザ入力に応答して、第１のコンテンツ・アイテムに関連付けられた積み重ねられた画像のパイルを表示するために一連の画像を自動的に折り畳むステップであって、第２のコンテンツ・アイテムは第１のコンテンツ・アイテムとは異なる、前記折り畳むステップと
を含む、コンピュータ実装方法。
【請求項２】
前記第２のコンテンツ・アイテムを表示することは、前記第２のコンテンツ・アイテムに関連付けられた重ねられた画像の第２のパイルを前記ユーザ・インターフェースの第２のレイヤ上に表示することによって、前記階層の構造に従って前記ユーザ・インターフェースを提示することをさらに含み、第２のパイルは、第２のパイルに積み重ねられた多数の画像があることを視覚的に示し、画像の第２のパイルは、画像の第１のパイルとは異なる、請求項１に記載の方法。
【請求項３】
前記第２のコンテンツ・アイテムを表示することは、フォト・アルバムに属し、かつ前記第２のコンテンツ・アイテムに関連付けられた１つ以上の写真を表示することによって、前記階層の構造に従って前記ユーザ・インターフェースを提示することをさらに含む、請求項１に記載の方法。
【請求項４】
前記第２のコンテンツ・アイテムを表示することは、前記第１のコンテンツ・アイテムに関連付けられた前記複数の構成要素を前記画面から外し、次いで前記画面上に移動する前記第２のコンテンツ・アイテムに関連する複数の構成要素を表示することを含む、請求項１に記載の方法。
【請求項５】
第２のコンテンツ・アイテムを表示することから元の第１のコンテンツ・アイテムを表示することに移動するための第３のユーザ入力に応答して、前記ユーザ・インターフェース上に第１のコンテンツ・アイテムに関連する積み重ねられた画像のパイルを折り畳まれたパイルで表示するステップをさらに含む、請求項１に記載の方法。
【請求項６】
前記一連の画像を表示することは、前記画像を垂直列に順次表示することを含む、請求項１に記載の方法。
【請求項７】
ソフトウェアを実装する１つまたは複数のコンピュータ可読の非一時的記憶媒体であって、ソフトウェアは、実行されたときに、
電子デバイスの画面のユーザ・インターフェース上に複数の構成要素を階層に配置し、ここで、階層は、１つ以上の層を有し、各層が前記ユーザ・インターフェースの前記構成要素のうちの少なくとも１つを有し、
ユーザ・インターフェースのレイヤに第１のコンテンツ・アイテムに関連付けられた積み重ねられた画像のパイルを表示することによって、階層の構造に従ってユーザ・インターフェースを提示し、ここで、パイルは、パイルに積み重ねられた多数の画像があることを視覚的に示し、
積み重ねられた画像のパイルとインタラクションするための第１のユーザ入力に応答して、一連の多数の画像を表示するようにパイルを拡張し、
第１のコンテンツ・アイテムから第２のコンテンツ・アイテムに移動するための第２のユーザ入力に応答して、第１のコンテンツ・アイテムに関連付けられた積み重ねられた画像のパイルを表示するために一連の画像を自動的に折り畳むように動作可能であり、ここで、第２のコンテンツ・アイテムは第１のコンテンツ・アイテムとは異なる、媒体。
【請求項８】
前記第２のコンテンツ・アイテムを表示することは、前記第２のコンテンツ・アイテムに関連する積み重ねられた画像の第２のパイルを前記ユーザ・インターフェースの第２のレイヤ上に表示することによって、前記階層の構造に従って前記ユーザ・インターフェースを提示することをさらに含み、第２のパイルは、第２のパイルに積み重ねられた多数の画像があることを視覚的に示し、画像の第２のパイルは、画像の第１のパイルとは異なる、請求項７に記載の媒体。
【請求項９】
前記第２のコンテンツ・アイテムを表示することは、フォト・アルバムに属し、かつ前記第２のコンテンツ・アイテムに関連付けられた１つ以上の写真を表示することによって、前記階層の構造に従って前記ユーザ・インターフェースを提示することをさらに含む、請求項７に記載の媒体。
【請求項１０】
前記第２のコンテンツ・アイテムを表示することは、前記第１のコンテンツ・アイテムに関連付けられた前記複数の構成要素を前記画面から外し、次いで前記画面上に移動する前記第２のコンテンツ・アイテムに関連する複数の構成要素を表示することを含む、請求項７に記載の媒体。
【請求項１１】
前記ソフトウェアは、第２のコンテンツ・アイテムを表示することから元の第１のコンテンツ・アイテムを表示することに移動するための第３のユーザ入力に応答して、ユーザ・インターフェース上に第１のコンテンツ・アイテムに関連する積み重ねられた画像のパイルを折り畳まれたパイルで表示するようにさらに動作可能である、請求項７に記載の媒体。
【請求項１２】
前記一連の画像を表示することは、前記画像を垂直列に順次表示することを含む、請求項１１に記載の媒体。
【請求項１３】
システムであって、
１つまたは複数のプロセッサと、
前記プロセッサに結合され、前記プロセッサによって実行可能な命令を含むメモリと
を備え、前記プロセッサは、前記命令を実行したときに、
電子デバイスの画面のユーザ・インターフェース上に複数の構成要素を階層に配置し、ここで、階層は、１つ以上の層を有し、各層が前記ユーザ・インターフェースの前記構成要素のうちの少なくとも１つを有し、
ユーザ・インターフェースのレイヤに第１のコンテンツ・アイテムに関連付けられた積み重ねられた画像のパイルを表示することによって、階層の構造に従ってユーザ・インターフェースを提示し、ここで、パイルは、パイルに積み重ねられた多数の画像があることを視覚的に示し、
積み重ねられた画像のパイルとインタラクションするための第１のユーザ入力に応答して、一連の多数の画像を表示するようにパイルを拡張し、
第１のコンテンツ・アイテムから第２のコンテンツ・アイテムに移動するための第２のユーザ入力に応答して、第１のコンテンツ・アイテムに関連付けられた積み重ねられた画像のパイルを表示するために一連の画像を自動的に折り畳むように動作可能であり、ここで、第２のコンテンツ・アイテムは第１のコンテンツ・アイテムとは異なる、システム。
【請求項１４】
前記第２のコンテンツ・アイテムを表示することは、前記第２のコンテンツ・アイテムに関連する積み重ねられた画像の第２のパイルを前記ユーザ・インターフェースの第２のレイヤ上に表示することによって、前記階層の構造に従って前記ユーザ・インターフェースを提示することをさらに含み、第２のパイルは、第２のパイルに積み重ねられた多数の画像があることを視覚的に示し、画像の第２のパイルは、画像の第１のパイルとは異なる、請求項１３に記載のシステム。
【請求項１５】
前記第２のコンテンツ・アイテムを表示することは、フォト・アルバムに属し、かつ前記第２のコンテンツ・アイテムに関連付けられた１つ以上の写真を表示することによって、前記階層の構造に従って前記ユーザ・インターフェースを提示することをさらに含む、請求項１３に記載のシステム。
【請求項１６】
前記第２のコンテンツ・アイテムを表示することは、前記第１のコンテンツ・アイテムに関連付けられた前記複数の構成要素を前記画面から外し、次いで前記画面上に移動する前記第２のコンテンツ・アイテムに関連する複数の構成要素を表示することを含む、請求項１３に記載のシステム。
【請求項１７】
前記プロセッサは、第２のコンテンツ・アイテムを表示することから元の第１のコンテンツ・アイテムを表示することに移動するための第３のユーザ入力に応答して、前記ユーザ・インターフェース上に第１のコンテンツ・アイテムに関連する積み重ねられた画像のパイルを折り畳まれたパイルで表示するようにさらに動作可能である、請求項１３に記載のシステム。
【請求項１８】
前記一連の画像を表示することは、前記画像を垂直列に順次表示することを含む、請求項１７に記載のシステム。
【発明の詳細な説明】
【技術分野】
【０００１】
本開示は、一般にはユーザ・インターフェースに関する。
【背景技術】
【０００２】
ヒューマン・マシン対話の工業デザイン分野でのユーザ・インターフェース（user interface：ＵＩ）は、人間とマシンとの間の対話が行われるスペースである。しばしば「ユーザ」と呼ばれる人間と、マシンとの間のユーザ・インターフェースでの対話の目標は、（例えば、ユーザ入力を介する）マシンおよびマシンの動作のユーザによる制御、ならびに（例えば、プログラム出力を介する）マシン・フィードバックである。グラフィカル・ユーザ・インターフェース（graphical user interface：ＧＵＩ）は、純粋にテキストのコマンドではなく、マルチメディア・オブジェクト（例えば、イメージ、ビデオ、オーディオなど）を通じてユーザが電子装置またはコンピューティング装置上で実行中のソフトウェア・アプリケーションと対話することを可能にするユーザ・インターフェースの１タイプである。
【発明の概要】
【課題を解決するための手段】
【０００３】
特定の実施形態では、ユーザにコンテンツを提示するユーザ・インターフェースが、階層構造を有することができる。ユーザ・インターフェースは、任意の数のコンテンツ・セクションを有することができ、各コンテンツ・セクションは、任意の数のコンテンツ・アイテムを有することができる。コンテンツ・アイテムは、任意のタイプまたはフォーマットでよい。ユーザは、コンテンツ・アイテムのいくつかを消費するか、またはそれと対話することができる。特定の実施形態では、各コンテンツ・アイテムはユーザ・インターフェース要素に対応することができる。
【０００４】
特定の実施形態では、１組のイメージが表示されてよく、イメージはパイルに積み重ねられる。複数のイメージが共に積み重ねられていることを示す視覚表示がある。パイルに関連するユーザ入力に応答して、パイルは展開されてよく、それにより、個々のイメージが連続として表示される。連続に関連するユーザ入力に応答して、連続は折り畳まれてよく、それにより、イメージは再びパイルに積み重ねられる。個々のイメージが連続として表示されている間、ユーザは、連続をスクロールして各イメージを閲覧することができる。
【０００５】
特定の実施形態では、１組のイメージは、フォト・アルバムに属する写真とすることができる。写真が連続として表示されるとき、フォト・アルバムに関するユーザ・コメントが、写真と共に表示されてもよい（例えば、やはり連続として）。ユーザは、ユーザ・コメントをスクロールして各コメントを閲覧することができる。
【図面の簡単な説明】
【０００６】
【図１】ソーシャル・ネットワーキング・システムに関連する例示的ネットワーク環境を示す図。
【図２Ａ】例示的モバイル電子装置を示す図。
【図２Ｂ】例示的モバイル電子装置を示す図。
【図３】例示的ソーシャル・グラフを示す図。
【図４】例示的オブジェクト階層を示す図。
【図５Ａ】パイルに積み重ねられた１組のイメージを示す図。
【図５Ｂ】単一のイメージを示す図。
【図６Ａ】イメージのパイルを展開してイメージを連続として順次表示することを示す図。
【図６Ｂ】イメージのパイルを展開してイメージを連続として順次表示することを示す図。
【図７Ａ】イメージの連続をスクロールすることを示す図。
【図７Ｂ】イメージの連続をスクロールすることを示す図。
【図８Ａ】ユーザ・コメントの連続をスクロールすることを示す図。
【図８Ｂ】ユーザ・コメントの連続をスクロールすることを示す図。
【図９】例示的コンピュータ・システムを示す図。
【発明を実施するための形態】
【０００７】
ユーザがアプリケーションと対話することおよび制御することを可能にするために、例えば、デスクトップ・アプリケーション、モバイル・アプリケーション、またはウェブ・ベースのアプリケーションを含む任意のタイプのソフトウェア・アプリケーションにユーザ・インターフェース（user interface：ＵＩ）を組み込むことができる。グラフィカル・ユーザ・インターフェース（graphical user interface：ＧＵＩ）は、例えば、アイコン、ボタン、メニュー、イメージ、ビデオ、またはオーディオを含むマルチメディア・オブジェクトを通じてユーザがソフトウェア・アプリケーションと対話することを可能にするユーザ・インターフェースの１タイプである。
【０００８】
特定の実施形態では、ソフトウェア・アプリケーションをソーシャル・ネットワーキング・システムに関連付けることができることができる。図１は、ソーシャル・ネットワーキング・システムに関連する例示的なネットワーク環境１００を示す。ネットワーク環境１００は、ネットワーク１１０によって互いに接続されたユーザ１０１、クライアント・システム１３０、ソーシャル・ネットワーキング・システム１６０、およびサード・パーティ・システム１７０を含む。図１はユーザ１０１、クライアント・システム１３０、ソーシャル・ネットワーキング・システム１６０、サード・パーティ・システム（third-party system）１７０、およびネットワーク１１０の特定の構成を示すが、本開示は、ユーザ１０１、クライアント・システム１３０、ソーシャル・ネットワーキング・システム１６０、サード・パーティ・システム１７０、およびネットワーク１１０の任意の適切な構成を企図する。限定ではなく例として、ネットワーク１１０を迂回して、クライアント・システム１３０、ソーシャル・ネットワーキング・システム１６０、およびサード・パーティ・システム１７０のうちの２つ以上を互いに直接的に接続することができる。別の例として、クライアント・システム１３０、ソーシャル・ネットワーキング・システム１６０、およびサード・パーティ・システム１７０のうちの２つ以上を、物理的または論理的に、全体的または部分的に共に配置することができる。さらに、図１は特定の数のユーザ１０１、クライアント・システム１３０、ソーシャル・ネットワーキング・システム１６０、サード・パーティ・システム１７０、およびネットワーク１１０を示すが、本開示は、任意の適切な数のユーザ１０１、クライアント・システム１３０、ソーシャル・ネットワーキング・システム１６０、サード・パーティ・システム１７０、およびネットワーク１１０を企図する。限定ではなく例として、ネットワーク環境１００は、複数のユーザ１０１、クライアント・システム１３０、ソーシャル・ネットワーキング・システム１６０、サード・パーティ・システム１７０、およびネットワーク１１０を含むことができる。
【０００９】
特定の実施形態では、ユーザ１０１は、ソーシャル・ネットワーキング・システム１６０と、またはソーシャル・ネットワーキング・システム１６０を介して対話または通信する個人（人間のユーザ）、エンティティ（例えば、企業、ビジネス、またはサード・パーティ・アプリケーション）、または（例えば、個人またはエンティティの）グループでよい。特定の実施形態では、ソーシャル・ネットワーキング・システム１６０は、オンライン・ソーシャル・ネットワークをホストするネットワーク・アドレス指定可能コンピューティング・システム（network-addressable computing system）でよい。ソーシャル・ネットワーキング・システム１６０は、例えば、ユーザ・プロファイル・データ、概念プロファイル・データ、ソーシャル・グラフ情報、またはオンライン・ソーシャル・ネットワークに関する他の適切なデータなどのソーシャル・ネットワーキング・データを生成、格納、受信、および送信することができる。ネットワーク環境１００の他の構成要素により、直接的に、またはネットワーク１１０を介して、ソーシャル・ネットワーキング・システム１６０にアクセスすることができる。特定の実施形態では、ソーシャル・ネットワーキング・システム１６０は、例えば、適切なプライバシー設定を設定することなどにより、ユーザ１０１がそのアクションをソーシャル・ネットワーキング・システム１６０によって記録させること、または他のシステム（例えば、サード・パーティ・システム１７０）と共有させることを選択するか、または選択しないことを可能にする許可サーバを含むことができる。特定の実施形態では、サード・パーティ・システム１７０は、様々なサード・パーティ・ソフトウェア・アプリケーション（例えば、ウェブ・ベースのアプリケーション）をホストすることができるネットワーク・アドレス指定可能コンピューティング・システムでよい。サード・パーティ・システム１７０は、例えば、テキスト、イメージ、ビデオ、またはオーディオなどの様々なタイプのデータを生成、格納、受信、および送信することができる。ネットワーク環境１００の他の構成要素により、直接的に、またはネットワーク１１０を介して、サード・パーティ・システム１７０にアクセスすることができる。特定の実施形態では、１人または複数のユーザ１０１は、１つまたは複数のクライアント・システム１３０を使用して、ソーシャル・ネットワーキング・システム１６０またはサード・パーティ・システム１７０にアクセスしてデータを送り、ソーシャル・ネットワーキング・システム１６０またはサード・パーティ・システム１７０からデータを受信することができる。クライアント・システム１３０は、直接的に、ネットワーク１１０を介して、またはサード・パーティ・システムを介して、ソーシャル・ネットワーキング・システム１６０またはサード・パーティ・システム１７０にアクセスすることができる。限定ではなく例として、クライアント・システム１３０は、ソーシャル・ネットワーキング・システム１６０を介してサード・パーティ・システム１７０にアクセスすることができる。クライアント・システム１３０は、例えば、パーソナル・コンピュータ、ラップトップ・コンピュータ、携帯電話、スマートフォン、またはタブレット・コンピュータなどの任意の適切なコンピューティング装置でよい。
【００１０】
本開示は任意の適切なネットワーク１１０を企図する。限定ではなく例として、ネットワーク１１０のうちの１つまたは複数の部分は、アドホック・ネットワーク（ad hoc network）、イントラネット、エクストラネット、仮想プライベート・ネットワーク（virtual private network：ＶＰＮ）、ローカル・エリア・ネットワーク（local area network：ＬＡＮ）、ワイヤレスＬＡＮ（wireless LAN：ＷＬＡＮ）、広域ネットワーク（wide area network：ＷＡＮ）、ワイヤレスＷＡＮ（wireless WAN：ＷＷＡＮ）、大都市圏ネットワーク（metropolitan area network：ＭＡＮ）、インターネットの一部、公衆交換電話網（Public Switched Telephone Network：ＰＳＴＮ）の一部、携帯電話網、またはこれらの２つ以上の組合せを含むことができる。ネットワーク１１０は１つまたは複数のネットワーク１１０を含むことができる。
【００１１】
リンク１５０は、クライアント・システム１３０、ソーシャル・ネットワーキング・システム１６０、およびサード・パーティ・システム１７０を通信ネットワーク１１０に接続するか、または互いに接続することができる。本開示は任意の適切なリンク１５０を企図する。特定の実施形態では、１つまたは複数のリンク１５０は、１つまたは複数のワイヤーライン（wireline）（例えば、デジタル加入者線（Digital Subscriber Line：ＤＳＬ）またはData Over Cable Service Interface Specification（ＤＯＣＳＩＳ）など）、ワイヤレス（例えば、Ｗｉ−ＦｉまたはWorldwide Interoperability for Microwave Access（ＷｉＭＡＸ）など）、または光（例えば、同期光ネットワーク（Synchronous Optical Network：ＳＯＮＥＴ）または同期デジタル階層（Synchronous Digital Hierarchy：ＳＤＨ）など）リンクを含む。特定の実施形態では、１つまたは複数のリンク１５０はそれぞれ、アドホック・ネットワーク、イントラネット、エクストラネット、ＶＰＮ、ＬＡＮ、ＷＬＡＮ、ＷＡＮ、ＷＷＡＮ、ＭＡＮ、インターネットの一部、ＰＳＴＮの一部、セルラ技術ベースのネットワーク、衛星通信技術ベースのネットワーク、別のリンク１５０、または２つ以上のそのようなリンク１５０の組合せを含む。リンク１５０は、必ずしもネットワーク環境１００全体を通じて同一である必要はない。１つまたは複数の第１のリンク１５０は、１つまたは複数の点で１つまたは複数の第２のリンク１５０と異なることがある。
【００１２】
特定の実施形態では、ソーシャル・ネットワーキング・システム１６０に関連するサーバと、個々のクライアント・システム１３０との間で、ネットワーク１１０を介してデータ（例えば、様々なタイプの情報またはコンテンツを表すデータ）を送ることができる。２つの電子装置（例えば、サーバおよびクライアント）がネットワーク（例えば、ネットワーク１１０などのコンピュータまたは通信ネットワーク）に接続されるとき、１つまたは複数の適切なネットワーク・プロトコルを使用して、２つの装置間でネットワークを介してデータを送信することができる。ネットワークは、任意の数のサブネットワークを含むことができる。２つの装置間でデータを送信することにより、２つの装置は互いに通信することができる。
【００１３】
ネットワーク通信では、ある装置から別の装置に通信（すなわち、データ）を送るのに、プッシュ（push）およびプル（pull）という２つの方式がある。プッシュ技術では、通信トランザクションを求める要求が、送信装置によって開始される。すなわち、送信装置が、受信装置に、通信を所謂「プッシュ」し、この場合、トランザクションで送信装置を能動側とみなすことができ、受信装置を受動側とみなすことができる。一方、プル技術では、通信トランザクションを求める要求が、受信装置によって開始される。すなわち、受信装置が、送信装置から、通信を所謂「プル」する。この場合、トランザクションで送信装置を受動側とみなすことができ、受信装置を能動側とみなすことができる。特定の実施形態では、ソーシャル・ネットワーキング・システム１６０に関連するサーバが、クライアント・システム１３０にデータをプッシュすることができる。サーバからクライアントにプッシュされる通信は、「プッシュ通知」と呼ばれることがある。同様に、クライアント・システム１３０は、ソーシャル・ネットワーキング・システム１６０に関連するサーバにデータをプッシュすることができる。
【００１４】
特定の実施形態では、クライアント・システム１３０は、モバイル電子装置またはコンピューティング装置でよい。スマートフォン、タブレット・コンピュータ、ラップトップ・コンピュータなどのモバイル電子装置は、その位置、方向、または向きを判定する、ＧＰＳ受信機、コンパス、ジャイロスコープなどの機能を含むことができる。そのようなモバイル装置はまた、ＢＬＵＥＴＯＯＴＨ（登録商標）通信、近距離場通信（near-field communication：ＮＦＣ）、赤外線（infrared：ＩＲ）通信、ワイヤレス・ローカル・エリア・ネットワーク（ＷＬＡＮ）もしくは携帯電話網との通信などの、ワイヤレス通信のための機能をも含むことができる。そのようなモバイル装置はまた、１つまたは複数のカメラ、スキャナ、タッチ・スクリーン、マイクロフォン、あるいはスピーカをも含むことができる。モバイル電子装置はまた、ゲーム、ウェブ・ブラウザ、ソーシャル・ネットワーキング・アプリケーションなどのソフトウェア・アプリケーションを実行することができる。ソーシャル・ネットワーキング・アプリケーションを用いて、ユーザは、ユーザのソーシャル・ネットワーク内の他のユーザと接続し、通信し、情報を共有することができる。
【００１５】
特定の実施形態では、モバイル電子装置（例えば、スマートフォンまたはタブレット・コンピュータ）は、タッチ入力を受け取ることのできるタッチ・スクリーンを含むことができる。図２Ａは、タッチ・スクリーン２１５を有する例示的なモバイル電子装置２１０（例えば、スマートフォン）を示す。タッチ・スクリーン２１５は、（例えば、ユーザの指からの）タッチまたは物体（例えば、スタイラス（stylus））の近接の存在および位置を検出する１つまたは複数のタッチ・センサおよびタッチ・センサ・コントローラを組み込むことができる。特定の実施形態では、タッチ・スクリーン２１５を介して検出される特定のタッチの結果、タッチ入力イベントを生じさせることができる。
【００１６】
異なるモバイル電子装置は、異なる構成を有してもよい。その結果、異なるモバイル装置のタッチ・スクリーンのサイズ、形状、およびアスペクト比は異なることがある。図２Ｂは、タッチ・スクリーン２２５を有する別の例示的なモバイル電子装置２２０（例えば、タブレット・コンピュータ）を示す。同様に、タッチ・スクリーン２２５は、（例えば、ユーザの指からの）タッチまたは物体（例えば、スタイラス）の近接の存在および位置を検出する１つまたは複数のタッチ・センサおよびタッチ・センサ・コントローラを組み込むことができる。タッチ・スクリーン２２５を介して検出される特定のタッチの結果、タッチ入力イベントを生じさせることができる。しかし、モバイル電子装置２１０および２２０は２つの異なるタイプの装置であるので、それぞれのタッチ・スクリーン２１５および２２５は、異なるサイズおよびアスペクト比を有する。
【００１７】
様々なタイプのタッチ入力イベントに対応する、シングル・タップ、ダブル・タップ、ショート・プレス、ロング・プレス、スライド、スワイプ、フリップ、パン、ドラッグ、ピンチ・オープン、またはピンチ・クローズなどの様々なタイプのタッチまたはジェスチャが存在することができる。異なるタッチ入力イベントの結果、異なる応答を得ることができ、本開示は、任意の適用可能なジェスチャを企図する。
【００１８】
ソーシャル・ネットワーキング・システム１６０は、例えば、ユーザ・データ、アプリケーション・データ、またはソーシャル・データを含む様々なタイプのデータを格納することができる。特定の実施形態では、任意の数のノードおよびエッジを有し、各エッジが２つのノードを接続するグラフ内にそのようなデータを格納することができる。グラフはとりわけソーシャル情報を含むので、グラフはしばしば、「ソーシャル・グラフ（socialgraph）」または「オープン・グラフ（open graph）」と呼ばれる。
【００１９】
図３は、例示的なソーシャル・グラフ３００を示す。特定の実施形態では、ソーシャル・ネットワーキング・システム１６０は、１つまたは複数のデータ・ストア（data store）内に１つまたは複数のソーシャル・グラフ３００を格納することができる。特定の実施形態では、ソーシャル・グラフ３００は、複数のノード（これは複数のユーザ・ノード３０２または複数の概念ノード（concept node）３０４を含むことができる）と、ノードを接続する複数のエッジ（edge）３０６とを含むことができる。図３に示される例示的なソーシャル・グラフ３００は、説明のために、２次元視覚マップ表現で示されている。特定の実施形態では、ソーシャル・ネットワーキング・システム１６０、クライアント・システム１３０、またはサード・パーティ・システム１７０は、ソーシャル・グラフ３００および適切なアプリケーションについての関連するソーシャル・グラフ情報にアクセスすることができる。ソーシャル・グラフ３００のノードおよびエッジを、データ・オブジェクトとして、例えばデータ・ストア（ソーシャル・グラフ・データベースなど）内に格納することができる。そのようなデータ・ストアは、ソーシャル・グラフ３００のノードまたはエッジの１つまたは複数の検索可能または照会可能な索引を含むことができる。
【００２０】
特定の実施形態では、ユーザ・ノード３０２は、ソーシャル・ネットワーキング・システム１６０のユーザに対応することができる。限定ではなく例として、ユーザは、ソーシャル・ネットワーキング・システム１６０と、またはソーシャル・ネットワーキング・システム１６０を介して対話または通信する個人（人間のユーザ）、エンティティ（例えば、企業、ビジネス、またはサード・パーティ・アプリケーション）、または（例えば、個人またはエンティティの）グループでよい。特定の実施形態では、ユーザがソーシャル・ネットワーキング・システム１６０にアカウントを登録するとき、ソーシャル・ネットワーキング・システム１６０は、ユーザに対応するユーザ・ノード３０２を作成し、１つまたは複数のデータ・ストア内にユーザ・ノード３０２を格納することができる。本明細書で説明するユーザおよびユーザ・ノード３０２は、適切な場合、登録されたユーザおよび登録されたユーザに関連するユーザ・ノード３０２を指す。追加または代替として、本明細書で説明するユーザおよびユーザ・ノード３０２は、適切な場合、ソーシャル・ネットワーキング・システム１６０に登録していないユーザを指す。特定の実施形態では、ユーザによって提供される情報、またはソーシャル・ネットワーキング・システム１６０を含む様々なシステムによって収集される情報に、ユーザ・ノード３０２を関連付けることができる。限定ではなく例として、ユーザは、ユーザの名前、プロファイル写真、連絡先情報、誕生日、性別、結婚状況、家族状況、職業、学歴、好み、関心、または他の人口統計情報を提供することができる。特定の実施形態では、ユーザに関連する情報に対応する１つまたは複数のデータ・オブジェクトにユーザ・ノード３０２を関連付けることができる。特定の実施形態では、ユーザ・ノード３０２は、１つまたは複数のウェブ・ページに対応することができる。
【００２１】
特定の実施形態では、概念ノード３０４は概念（concept）に対応することができる。限定ではなく例として、概念は、場所（例えば、映画館、レストラン、ランドマーク、または都市など）、ウェブサイト（例えば、ソーシャル・ネットワーク・システム１６０に関連するウェブサイトまたはウェブ・アプリケーション・サーバに関連するサード・パーティ・ウェブサイトなど）、エンティティ（例えば、人、会社、グループ、スポーツ・チーム、または有名人など）、ソーシャル・ネットワーキング・システム１６０内またはウェブ・アプリケーション・サーバなどの外部サーバ上に位置することのできるリソース（例えば、オーディオ・ファイル、ビデオ・ファイル、デジタル・フォト、テキスト・ファイル、構造化された文書、またはアプリケーションなど）、物的または知的財産（例えば、彫刻、絵画、映画、ゲーム、歌、アイデア、写真、または著作物など）、ゲーム、活動、アイデアまたは理論、他の適切な概念、あるいは２つ以上のそのような概念に対応することができる。ユーザによって提供される概念の情報、またはソーシャル・ネットワーキング・システム１６０を含む様々なシステムによって収集される情報に概念ノード３０４を関連付けることができる。限定ではなく例として、概念の情報は、名前またはタイトル、１つまたは複数のイメージ（例えば、本のカバー・ページのイメージ）、位置（例えば、住所または地理的位置）、ウェブサイト（それをＵＲＬに関連付けることができる）、連絡先情報（例えば、電話番号またはｅメール・アドレス）、他の適切な概念情報、またはそのような情報の任意の適切な組合せを含むことができる。特定の実施形態では、概念ノード３０４に関連する情報に対応する１つまたは複数のデータ・オブジェクトに概念ノード３０４を関連付けることができる。特定の実施形態では、概念ノード３０４は１つまたは複数のウェブ・ページに対応することができる。
【００２２】
特定の実施形態では、ソーシャル・グラフ３００内のノードは、ウェブ・ページ（「プロファイル・ページ」と呼ばれることがある）を表すこと、またはウェブ・ページによって表すことができる。プロファイル・ページは、ソーシャル・ネットワーキング・システム１６０によってホストすること、またはソーシャル・ネットワーキング・システム１６０にとってアクセス可能にすることができる。プロファイル・ページはまた、サード・パーティ・サーバ１７０に関連するサード・パーティ・ウェブサイト上でホストすることもできる。限定ではなく例として、特定の外部ウェブ・ページに対応するプロファイル・ページは、特定の外部ウェブ・ページでよく、プロファイル・ページは、特定の概念ノード３０４に対応することができる。プロファイル・ページは、他のユーザのすべてまたは選択された一部分によって閲覧可能とすることができる。限定ではなく例として、ユーザ・ノード３０２は、対応するユーザがその中でコンテンツを追加し、宣言を行い、あるいはユーザ自身を表現することのできる、対応するユーザ・プロファイル・ページを有することができる。限定ではなく別の例として、概念ノード３０４は、特に概念ノード３０４に対応する概念に関連して、１人または複数のユーザがその中でコンテンツを追加し、宣言を行い、またはユーザ自身を表現することのできる、対応する概念プロファイル・ページを有することができる。
【００２３】
特定の実施形態では、概念ノード３０４は、サード・パーティ・システム１７０によってホストされるサード・パーティ・ウェブページまたはリソースを表すことができる。サード・パーティ・ウェブページまたはリソースは、他の要素において、コンテンツ、選択可能な、もしくは他のアイコン、またはアクションもしくは活動を表す（例えば、ＪＡＶＡ（登録商標）Ｓｃｒｉｐｔ、ＡＪＡＸ、またはＰＨＰコードで実装することのできる）他の対話型オブジェクトを含むことができる。限定ではなく例として、サード・パーティ・ウェブページは、「いいね」、「チェックイン（check in）」、「食べる（ｅａｔ）」、「レコメンド（recommend）」、または別の適切なアクションもしくは活動などの、選択可能なアイコンを含むことができる。サード・パーティ・ウェブページを閲覧するユーザは、アイコンのうちの１つ（例えば、「食べる」）を選択し、クライアント・システム１３０に、ユーザのアクションを示すメッセージをソーシャル・ネットワーキング・システム１６０に送信させることによってアクションを実施することができる。メッセージに応答して、ソーシャル・ネットワーキング・システム１６０は、ユーザに対応するユーザ・ノード３０２と、サード・パーティ・ウェブページまたはリソースに対応する概念ノード３０４との間のエッジ（例えば、「食べる」エッジ）を作成し、１つまたは複数のデータ・ストア内にエッジ３０６を格納することができる。
【００２４】
特定の実施形態では、１つまたは複数のエッジ３０６によってソーシャル・グラフ３００内の１対のノードを互いに接続することができる。１対のノードを接続するエッジ３０６は、その１対のノード間の関係を表すことができる。特定の実施形態では、エッジ３０６は、１対のノード間の関係に対応する１つまたは複数のデータ・オブジェクトまたは属性を含むか、または表すことができる。限定ではなく例として、第１のユーザは、第２のユーザが第１のユーザの「友人」であることを示すことができる。この表示に応答して、ソーシャル・ネットワーキング・システム１６０は、第２のユーザに「友人要求」を送信することができる。第２のユーザが「友人要求」を確認した場合、ソーシャル・ネットワーキング・システム１６０は、第１のユーザのユーザ・ノード３０２をソーシャル・グラフ３００内の第２のユーザのユーザ・ノード３０２に接続するエッジ３０６を作成し、データ・ストアのうちの１つまたは複数（例えば、ソーシャル・ネットワーキング・システム１６０に関連するデータ・ストア）の中にエッジ３０６をソーシャル・グラフ情報として格納することができる。図３の例では、ソーシャル・グラフ３００は、ユーザ「Ａ」とユーザ「Ｂ」のユーザ・ノード３０２間の友人関係を示すエッジ３０６と、ユーザ「Ｃ」とユーザ「Ｂ」のユーザ・ノード３０２間の友人関係を示すエッジとを含む。本開示は、特定のユーザ・ノード３０２を接続する特定の属性を有する特定のエッジ３０６を説明するかまたは図示するが、本開示は、ユーザ・ノード３０２を接続する任意の適切な属性を有する任意の適切なエッジ３０６を企図する。限定ではなく例として、エッジ３０６は、友人関係、家族関係、ビジネスまたは雇用関係、ファン関係（fan relationship）、フォロワ関係、ビジター関係（visitor relationship）、加入者関係、上位／従属関係、相互関係、非相互関係、別の適切なタイプの関係、または２つ以上のそのような関係を表すことができる。さらに、本開示は一般にノードが接続されているものとして説明するが、本開示はまた、ユーザまたは概念が接続されているものとして説明する。本明細書では、接続されているユーザまたは概念に対する参照は、適切な場合、１つまたは複数のエッジ３０６によってソーシャル・グラフ３００内で接続されているユーザまたは概念に対応するノードを指すことがある。
【００２５】
特定の実施形態では、ユーザ・ノード３０２と概念ノード３０４との間のエッジ３０６は、概念ノード３０４に関連する概念に対する、ユーザ・ノード３０２に関連するユーザによって実施される特定のアクションまたは活動を表すことができる。限定ではなく例として、図３に示されるように、ユーザは、概念に対して「いいね」を表明し、概念に「出席し」、概念を「再生し」、概念を「聴取し」、概念を「調理し」、概念に「取り組み」、または概念を「視聴する」ことができ、そのそれぞれは、エッジ・タイプまたはサブタイプに対応することができる。概念ノード３０４に対応する概念プロファイル・ページは、例えば、選択可能な「チェックイン」アイコン（例えば、クリッカブル（clickable）「チェックイン」アイコンなど）または選択可能な「お気に入りに追加」アイコンを含むことができる。同様に、ユーザがこれらのアイコンをクリックした後、ソーシャル・ネットワーキング・システム１６０は、それぞれのアクションに対応するユーザのアクションに応答して、「お気に入り」エッジまたは「チェックイン」エッジを作成することができる。限定ではなく別の例として、ユーザ（ユーザ「Ｃ」）が、特定のアプリケーション（オンライン音楽アプリケーションであるＳＰＯＴＩＦＹ）を使用して、特定の歌を聴取することができる（「Ｒａｍｂｌｅ  Ｏｎ」）。この場合、ソーシャル・ネットワーキング・システム１６０は、（図３に示すように）ユーザに対応するユーザ・ノード３０２と、歌およびアプリケーションに対応する概念ノード３０４との間の「聴取済み（ｌｉｓｔｅｎｅｄ）」エッジ３０６および「使用済み（ｕｓｅｄ）」エッジを作成し、ユーザが歌を聴取し、アプリケーションを使用したことを示すことができる。さらに、ソーシャル・ネットワーキング・システム１６０は、（図３に示すように）歌およびアプリケーションに対応する概念ノード３０４間の「再生済み（ｐｌａｙｅｄ）」エッジ３０６を作成し、特定の歌が特定のアプリケーションによって再生されたことを示すことができる。この場合、「再生済み」エッジ３０６は、外部アプリケーション（ＳＰＯＴＩＦＹ）によって外部オーディオ・ファイル（歌「イマジン」）に対して実施されたアクションに対応する。本開示は、ユーザ・ノード３０２および概念ノード３０４を接続する特定の属性を有する特定のエッジ３０６を説明するが、本開示は、ユーザ・ノード３０２および概念ノード３０４を接続する任意の適切な属性を有する任意の適切なエッジ３０６を企図する。さらに、本開示は単一の関係を表すユーザ・ノード３０２と概念ノード３０４との間のエッジを説明するが、本開示は、１つまたは複数の関係を表すユーザ・ノード３０２と概念ノード３０４との間のエッジを企図する。限定ではなく例として、エッジ３０６は、ユーザが特定の概念を好むこと、および特定の概念を使用したことの両方を表すことができる。あるいは、別のエッジ３０６は、（図３の、ユーザ「Ｅ」に関するユーザ・ノード３０２と、「ＳＰＯＴＩＦＹ」に関する概念ノード３０４との間で示されるように）ユーザ・ノード３０２と概念ノード３０４との間の各タイプの関係（または複数の単一の関係）を表すことができる。
【００２６】
特定の実施形態では、ソーシャル・ネットワーキング・システム１６０は、ソーシャル・グラフ３００内のユーザ・ノード３０２と概念ノード３０４との間のエッジ３０６を作成することができる。限定ではなく例として、（例えば、ユーザのクライアント・システム１３０によってホストされるウェブ・ブラウザまたは専用アプリケーションを使用することによって）概念プロファイル・ページを閲覧するユーザは、「いいね」アイコンをクリックまたは選択することにより、ユーザが概念ノード３０４によって表される概念を好むことを示すことができ、それによって、ユーザのクライアント・システム１３０に、ユーザが概念プロファイル・ページに関連する概念を好むことを示すメッセージをソーシャル・ネットワーキング・システム１６０に送信させることができる。メッセージに応答して、ソーシャル・ネットワーキング・システム１６０は、ユーザと概念ノード３０４との間の「いいね」エッジ３０６で示されるように、ユーザに関連するユーザ・ノード３０２と、概念ノード３０４との間のエッジ３０６を作成することができる。特定の実施形態では、ソーシャル・ネットワーキング・システム１６０は、１つまたは複数のデータ・ストア内にエッジ３０６を格納することができる。特定の実施形態では、特定のユーザ・アクションに応答して、エッジ３０６をソーシャル・ネットワーキング・システム１６０によって自動的に形成することができる。限定ではなく例として、第１のユーザが写真をアップロードし、映画を視聴し、または歌を聴取する場合、第１のユーザに対応するユーザ・ノード３０２と、これらの概念に対応する概念ノード３０４との間のエッジ３０６を形成することができる。本開示は、特定の方式で特定のエッジ３０６を形成することを説明するが、本開示は、任意の適切な方式で任意の適切なエッジ３０６を形成することを企図する。
【００２７】
特定の実施形態では、例えば、個々のオブジェクトがどのように互いに関係するかに基づいて、オブジェクトのセットを階層として編成することができる。オブジェクト階層は、任意の数のレベルを有することができ、各レベルに、任意の数のオブジェクトが存在することができる。階層内の特定のオブジェクト間に親子関係（parent-child relationship）または兄弟関係（sibling relationship）が存在することができる。オブジェクト階層内で、親オブジェクトは、その子オブジェクトのレベルより１レベル上にある。２つの兄弟オブジェクトは同一レベルにあり、同一の親オブジェクトを共有する。さらに、階層の任意の部分を、それ自体の中の１階層とみなすこともできる。
【００２８】
図４は、いくつかのオブジェクト４１０を含む例示的なオブジェクト階層４００の一部を示す。図４は、実際にはオブジェクト階層の視覚表現である。各ノードは、階層内の特定のオブジェクトを表し、２つのノードを接続する各エッジは、２つの対応するオブジェクト間の親子関係を表す。
【００２９】
特定の実施形態では、階層内のオブジェクトは親を有することがあり、または有さないことがある。オブジェクトが親を有さない場合、「ルート」オブジェクトと呼ばれることがある（例えば、オブジェクト４１０Ａ）。通常、ルート・オブジェクトは、階層の第１のレベルまたは最上端のレベルに配置される。特定の実施形態では、階層内のオブジェクトは、子を有することがあり、またはどんな子も有さないことがある。オブジェクトがどんな子も有さない場合、「リーフ」または「終端」オブジェクトと呼ばれることがある（例えば、オブジェクト４１０Ｂ）。オブジェクトが子を有する場合（例えば、オブジェクト４１０Ｃ）、オブジェクトは任意の数の子を有することができる。さらに、同じ親を共有するオブジェクトは、互いの「兄弟」と呼ばれることがある。例えば、図４では、オブジェクト４１０Ｃは、オブジェクト４１０Ｄおよび４１０Ｂの親である。オブジェクト４１０Ｄおよび４１０Ｂは、オブジェクト４１０Ｃの子であり、互いに対する兄弟である。したがって、オブジェクトの階層（例えば、オブジェクト階層４００）は、個々のオブジェクト（例えば、オブジェクト４１０）自体を含むだけではなく、特定のオブジェクト間の関係も示す。さらに、階層内の特定のオブジェクトの位置は、階層内の他のオブジェクトとの関係を示すことができる。
【００３０】
オブジェクト４１０は様々なタイプでよく、本開示は任意の適用可能なオブジェクト・タイプを企図する。限定はしないが例えば、「オブジェクト」という用語は、限定はしないが、イメージ、ビデオ、キャプション、テキスト・ブロックまたはボックス、ユーザ・インターフェース要素、クリッカブル・リンク、ニュースフィード・ストーリー、他のオブジェクトに対する参照、広告、カレンダ・イベント、グラフィカルにレンダリングすることのできるオープン・グラフ解析を表示する単位、アプリケーション、ウェブサイト、ウェブ・ページ、ブック、章を含む、任意のタイプのコンテンツを指す。特定の実施形態では、オブジェクトの別のより大きい階層の一部であるオブジェクトの階層が与えられると、特定のオブジェクト間の階層関係（例えば、親子または兄弟関係、階層内のオブジェクトの位置）が、これらのオブジェクトがユーザ・インターフェースのコンテキスト（context）でどのように振る舞うか、またはどのようにオブジェクトがユーザに提示されるかについてのいくつかの側面を指示することができる。
【００３１】
１例を挙げると、コンピューティング装置のデスクトップのコンテキストでは、デスクトップは親オブジェクト、時には階層のルート・オブジェクトでよく、その子オブジェクトは、デスクトップ上で利用可能な個々のソフトウェア・アプリケーションである。ソフトウェア・アプリケーションは、それ自体がデスクトップの子オブジェクトのうちの１つであるが、そのソフトウェア・アプリケーションの個々の構成要素の親オブジェクトでもある。異なるソフトウェア・アプリケーションは異なる構成要素を含むことができる。例えば、デジタル・ブックを管理するソフトウェア・アプリケーション（例えば、ブック・リーダー・アプリケーション（book reader application））について、その構成要素は、利用可能なデジタル・ブック、各ブックの個々の章、各章のページ、および各ページ上のテキスト、イメージ、ビデオ、オーディオ、または他のコンテンツもしくはメディア要素を含むことができる。これらのそれぞれはまた、階層内のオブジェクト（例えば、ユーザ・インターフェース構成要素）に対応する。より具体的には、階層内で、デジタル・ブック・アプリケーションはデジタル・ブックの親オブジェクトでよい。デジタル・ブックは、そのブックの個々の章の親オブジェクトでよい。章は、それ自体がブックの子オブジェクトのうちの１つであるが、章内のページの親オブジェクトでもある。ページは、そのページ上のテキスト、イメージ、ビデオ、オーディオ、または他のコンテンツもしくはメディア要素の親オブジェクトである。テキスト・ブロック、イメージ、ビデオ、オーディオ、または他のコンテンツもしくはメディア要素は、それが属するページの子オブジェクトのうちの１つである。同様に、ニュース・フィードを管理するソフトウェア・アプリケーションでは、その構成要素は、各チャネル内の個々のニュース・チャネルおよびニュース・ストーリーを含むことができる。これらのそれぞれはオブジェクトに対応することができる。階層内で、ニュース・フィード・アプリケーションは、それ自体がデスクトップの子オブジェクトのうちの１つであるが、ニュース・チャネルの親オブジェクトでもある。ニュース・チャネルは、そのチャネル内に含まれるニュース・ストーリーの親オブジェクトである。
【００３２】
別の例として、インターネットまたはワールド・ワイド・ウェブのコンテキストでは、インターネットは、その子オブジェクトが個々のウェブサイトである親オブジェクトである。ウェブサイトは、それ自体がインターネットの子オブジェクトのうちの１つであるが、そのウェブサイトの個々のウェブ・ページの親オブジェクトでもある。ウェブ・ページは、それ自体がそのウェブ・ページが属するウェブサイトの子オブジェクトのうちの１つであるが、ウェブ・ページ内に含まれるテキスト、イメージ、ビデオ、オーディオ、またはリンク（例えば、ユニフォーム・リソース・ロケータ（ＵＲＬ））の親オブジェクトである。各テキスト・ブロック、イメージ、ビデオ、オーディオ、またはリンクはまた、階層内の特定のオブジェクトに対応する。
【００３３】
第３の例として、ソーシャル・ネットワーキング・システム１６０によって実装されるソーシャル・ネットワーキング・ウェブサイトなどのウェブサイトを、ソーシャル・ネットワーキング・ウェブサイトのコンテンツをナビゲートするための階層構造として構成することもできる。このコンテキストでは、ソーシャル・ネットワーキング・ウェブサイトは、その子オブジェクトがウェブサイトの構成要素（例えば、フォト・アルバム、ユーザ・プロファイル・ページなど）である親オブジェクトでよい。例えば、フォト・アルバムは、それ自体がソーシャル・ネットワーキング・ウェブサイトの子オブジェクトであるが、親オブジェクトであり、アルバム内の個々のフォトは、フォト・アルバムの子オブジェクトでよい。ユーザのプロファイル・ページをそのような階層式に構築することもできる。プロファイル・ページ自体を親オブジェクトとみなすことができ、プロファイル・ページ上の個々のオブジェクトは、プロファイル・ページの子オブジェクトでよい。特定の実施形態では、（例えば、ユーザへの提示のために）プロファイル・ページを、限定はしないが例えば、フォト、フォト・アルバム、チェックイン、他のユーザからのコメント、出席したイベント、タグ、ユーザがプロファイル・ページに追加したアプリケーション、ストーリー、ユーザが聴取した歌、プレイリストなどのオブジェクトのリニア・タイムライン（linear timeline）とみなすことができ、リニア・タイムラインとしてレンダリングすることができる。これらの様々なタイプのオブジェクトはすべて、プロファイル・ページの子でよく、または複数のレベルとしてさらに構成することができる。いくつかの形態では、ユーザのプロファイル・ページは、ユーザの教育情報および職業情報、ユーザのパブリック「ウォール（wall）」、ユーザのソーシャル接続などの任意の数のセクションを含むことができる。次いで、上記の様々なタイプのオブジェクトを特定のセクションに分割することができる。
【００３４】
特定の実施形態では、オブジェクト４１０は、ユーザ・インターフェースの構成要素でもよい。この場合、オブジェクト階層４００はユーザ・インターフェースに対応することができ、各オブジェクト４１０は、ユーザ・インターフェースの特定の構成要素に対応することができる。ユーザ・インターフェースは、様々なタイプの構成要素を有することができ、本開示は、任意の適用可能なユーザ・インターフェース構成要素タイプを企図する。例えば、ユーザ・インターフェース構成要素（すなわち、オブジェクト４１０）は、ウィンドウ、セクション、タブ、イメージ、ビデオ、オーディオ、テキスト・ブロック、メニュー、アイコン、ボタン、チェックボックス、ウェブサイト、ウェブ・ページ、フレーム、クリッカブル・リンク、メッセージ、ポスト、または入力フィールドである。特定の実施形態では、ユーザが、限定はしないが例えば、オブジェクト４１０と対話し、オブジェクト４１０を閲覧し、読み、聴取し、操作し、または処理することができる場合、ユーザはオブジェクト４１０を消費することができる。例えば、いくつかのユーザによる消費可能オブジェクト（user-consumable object）４１０は、テキスト、イメージ、ビデオ、オーディオ、フィード（feed）、実行可能ファイル（executable）（例えば、アプリケーション・プログラムまたはゲーム）、ウェブサイト、ウェブ・ページ、デジタル・ブック、フォト・アルバム、ポスト、またはメッセージである。
【００３５】
特定の実施形態では、オブジェクト階層４００に対応するユーザ・インターフェースが（例えば、クライアント・システム１３０上に）表示されるとき、対応するオブジェクト階層４００の構造が、ユーザ・インターフェースの構造を反映することができる。オブジェクト階層４００内に反映される、ユーザ・インターフェース内の個々の構成要素間の関係は、これらの構成要素がどのように編成され、ユーザに提示されるかに影響を及ぼす。ユーザ・インターフェースは、オブジェクト階層４００の個々のレベルにそれぞれ対応する任意の数のレイヤを有することができる。オブジェクト階層４００の特定のレベルのオブジェクト４１０（例えば、ユーザ・インターフェース構成要素）が、ユーザ・インターフェースの対応するレイヤ内に表示される。いくつかの形態では、ユーザ・インターフェースの最低または最下端のレイヤが、オブジェクト階層４００の第１または最上端のレベルに対応する。したがって、ルート・オブジェクト４１０Ａが、ユーザ・インターフェースの最低のレイヤ内に表示される。さらに、ユーザ・インターフェースでは、各オブジェクト４１０（例えば、ユーザ・インターフェース構成要素）が、親が存在する場合にその親が表示されるレイヤのすぐ上、かつ子が存在する場合にその子が表示されるレイヤのすぐ下のレイヤ内に表示される。兄弟オブジェクト４１０が同一のレイヤに表示される。したがって、ユーザ・インターフェースの構成要素の位置は、ユーザ・インターフェース内の他の構成要素との関係（例えば、親子または兄弟）を示す。
【００３６】
特定の実施形態では、ユーザ・インターフェース構成要素（例えば、イメージ、ビデオ、フォルダなど）を様々なディスプレイ・モードで表示することができる。１例を挙げると、ユーザ・インターフェース構成要素が表示エリア（例えば、電子装置の画面）全体またはほぼ全体を占有する「全画面」モードでユーザ・インターフェース構成要素を表示することができる。別の例として、ユーザ・インターフェース構成要素が別のユーザ・インターフェース構成要素内に含まれ、その別のユーザ・インターフェース構成要素の一部として表示される（例えば、イメージがウェブ・ページの一部として表示される）「オン・ページ」モードでユーザ・インターフェース構成要素を表示することができる。第３の例として、ユーザ・インターフェース構成要素が一連のユーザ・インターフェース構成要素の一部である（例えば、イメージが、同一のアルバムの別のイメージと共に表示され、またはブックの章が、同一のブックの別の章と共にブックの目次内に表示される）「索引」モードでユーザ・インターフェース構成要素を表示することができる。
【００３７】
特定の実施形態では、階層ユーザ・インターフェースを使用して、ユーザにコンテンツを提示することができる。そのようなユーザ・インターフェースは、「コンテンツ・フィード」または「ニュース・フィード」ユーザ・インターフェースと呼ばれることがある。コンテンツは、限定はしないが例えば、テキスト、アイコン、イメージ、ビデオ、オーディオ、ウェブ・ページ、ポスト、またはメッセージなどの任意のタイプおよびフォーマットである。本開示は、任意の適用可能なコンテンツ・タイプおよびフォーマットを企図する。特定の実施形態では、個々のコンテンツ・アイテム（例えば、テキスト、イメージ、ビデオ、オーディオ、ウェブ・ページ、ポスト、メッセージ、ニュース・ピースなど）を、コンテンツ・セクションと呼ばれる様々なカテゴリに編成することができる。例えば、関連するコンテンツ・アイテムを同一のコンテンツ・セクションに分類することができる。ユーザ・インターフェースは、任意の数のコンテンツ・セクションを含むことができ、各コンテンツ・セクションは、任意の数のコンテンツ・アイテムを含むことができる。階層的に、コンテンツ・セクションは、そのセクションに属するコンテンツ・アイテムの親である。例えば、休日旅行中に撮られた様々なフォトを同一のアルバムとして編成することができ、様々なフォト・アルバムをユーザ・インターフェースのフォト・セクションとして編成することができる。
【００３８】
特定の実施形態では、ユーザは、特定のコンテンツ・アイテムを消費するか、または特定のコンテンツ・アイテムと対話することができる。例えば、ユーザがコンテンツ・アイテムをスクロールし、オープンし、閲覧し、聴取し、選択し、検討し、またはそれに対してコメントするとき、ユーザはコンテンツ・アイテムを消費する。ユーザがコンテンツ・アイテムを選択し、クリックし、タップし、検討し、またはそれに対してコメントするとき、ユーザはコンテンツ・アイテムと対話する。本開示は、ユーザがコンテンツ・アイテムを消費するか、またはコンテンツ・アイテムと対話するための任意の適用可能な手段を企図する。
【００３９】
特定の実施形態では、特定のコンテンツ・アイテムを共にグループ化することができる（例えば、それらの類似性または関係に基づいて）。例えば、いくつかのコンテンツ・アイテムを共にコンテンツ・セクションにグループ化することができ、この場合、コンテンツ・セクションは、コンテンツ・セクションに属するコンテンツ・アイテムの親である。いくつかのイメージ（例えば写真）をフォト・アルバムにグループ化することができ、この場合、フォト・アルバムは、フォト・アルバムに属する写真の親である。
【００４０】
特定の実施形態では、フォト・アルバムが、より具体的にはフォト・アルバム中の写真が、閲覧のためにユーザに提示されることがある。図５Ａでは、例示的フォト・アルバム５１０が、モバイル装置（例えばスマートフォン）の画面上に表示されている。ここでは、フォト・アルバム５１０はさらに、別のコンテンツ・アイテム５２０（例えば、ユーザによって作成された投稿）に含まれ、したがって、フォト・アルバム５１０はユーザ投稿５２０の子である。
【００４１】
この例では、フォト・アルバム５１０はタイトル５３１（すなわち「Ｓｅａ  Ｒａｎｃｈ」）を有し、フォト・アルバム５１０に含まれる５つの写真５３２がある。したがって、フォト・アルバム５１０は、フォト・アルバム５１０に属する５つの写真の親である。
【００４２】
この時点では、フォト・アルバム５１０中のすべての写真が表示されるのではなく、写真はパイル（ｐｉｌｅ）に積み重ねられる。パイルの最上部にある１つの写真５１１のみが、完全に表示される。残りの写真は、最上部の写真５１１の下に積み重ねられる。しかし、視覚表示５４０（例えば、積み重ねられて層になった写真の細長い端）があり、パイルに積み重ねられた複数の写真がこの時点であることが示される。最上部の写真５１１上には、フォト・アルバム５１０のタイトル５３１および写真の数５３２が表示される。
【００４３】
一方、図５Ｂでは、単一の写真５５０がモバイル装置の画面上に表示されている。写真５５０もまた、ユーザ投稿５６０に含まれる。しかし、この場合は、パイルに積み重ねられた複数の写真があること、または写真５５０の下に積み重ねられた写真が他にもあることを示す視覚表示はない。
【００４４】
視覚表示５４０は、パイルに積み重ねられた複数の写真があることをユーザに知らせ、ユーザは、個々の写真を閲覧することを望むのであれば、パイルを展開して閲覧することができる。特定の実施形態では、ユーザは、特定のユーザ入力を用いて、写真のパイルを展開させることができる。例えば、モバイル装置の画面がタッチ・センシティブである場合、ユーザは、ピンチ・オープンまたはダブル・タップなどの特定のジェスチャを用いて、写真のパイルを展開させることができる。
【００４５】
ユーザが、必要な入力を提供して写真のパイルを展開させると仮定する。図６Ａでは、パイルに積み重ねられた写真が、垂直に１列に展開され始める。特定の実施形態では、写真のパイルは、写真が表示される画面の配向に応じて、垂直または水平に展開することができる。この場合、モバイル装置の画面は垂直配向を有し、したがって、写真のパイルは垂直に展開する。図６Ｂでは、写真のパイルは完全に展開しており、写真は、連続として表示される（例えば、垂直方向に順次）。
【００４６】
画面のサイズ制限に起因して、連続の中のすべての写真を同時に画面上に表示することはできない。この場合、フォト・アルバム５１０中には５つの写真があるが、連続に展開された後は、２つの完全な写真５１１および５１２ならびに第３の写真５１３の一部のみを一度に画面上に表示することができない。しかし、個々の写真を閲覧するには、ユーザは、写真の連続に沿って前後にスクロールすればよい（例えば、タッチ・スクリーンにわたって上または下に指をスワイプさせることによって）。例えば、図７Ａは、ユーザが連続の最下部に向かってスクロールしたところを示す。図７Ｂは、ユーザが連続の最上部に向かってスクロールしたところを示す。
【００４７】
特定の実施形態では、フォト・アルバムに属する写真が、展開された形で連続として表示されているとき、フォト・アルバムに関するユーザ・コメントもまた表示されてよい。例えば、図８Ａでは、フォト・アルバム５１０に関するいくつかのユーザ・コメント８１０が、連続のうちの最後の写真の下に表示されている。フォト・アルバム５１０に関するユーザ・コメント８１０は数多くある場合があり、そのため、それらのすべてを一度にモバイル装置の画面上に表示することはできない。したがって、ユーザ・コメント８１０もまた、連続として（例えば、この場合は垂直に）表示することができ、それによりユーザは、ユーザ・コメント８１０に沿って前後にスクロールして、個々のコメントを閲覧することができる。例えば、図８Ｂは、ユーザが、フォト・アルバム５１０に関する利用可能なユーザ・コメント８１０の最下部に向かってスクロールしたところを示す。
【００４８】
特定の実施形態では、ユーザはまた、フォト・アルバム５１０に関する自分自身のコメントをサブミットすることもできる。例えば、ユーザは、リンク８２０をクリックして、コメント付け工程を開始することができる。
【００４９】
特定の実施形態では、ユーザは、別のユーザ入力を用いて、展開済みの写真の連続が再びパイルに折り畳まれるようにすることができる。例えば、モバイル装置の画面がタッチ・センシティブである場合、ユーザは、ピンチ・クローズまたはシングル・タップなどの特定のジェスチャを用いて、写真の連続が再びパイルに折り畳まれるようにすることができる。別の例として、図７Ｂでは、写真の連続はユーザ投稿５２０に含まれる。ユーザが、写真の連続を明示的に折り畳むのではなく、写真の連続を含むユーザ投稿５２０を離れて別のコンテンツ・アイテム（例えば別のユーザ投稿）に移動した場合、写真の連続は自動的に再びパイルに折り畳まれる。ユーザがユーザ投稿５２０に戻ったとき、写真は、展開された連続として表示されるのではなく、図５Ａに示されるように折り畳まれたパイルとして表示される。
【００５０】
前述のイメージ提示動作は、コンピュータ・ソフトウェアとして実装され、コンピュータ・システム上で実行されることが可能である。図９は、例示的コンピュータ・システム９００を示す。特定の実施形態では、１つまたは複数のコンピュータ・システム９００は、本明細書で説明または図示される１つまたは複数の方法の１つまたは複数のステップを実施する。特定の実施形態では、１つまたは複数のコンピュータ・システム９００は、本明細書で説明または図示される機能を提供する。特定の実施形態では、１つまたは複数のコンピュータ・システム９００上で実行中のソフトウェアが、本明細書で説明または図示される１つまたは複数の方法の１つまたは複数のステップを実施しまたは本明細書で説明または図示される機能を提供する。特定の実施形態は、１つまたは複数のコンピュータ・システム９００の１つまたは複数の部分を含む。本明細書では、適切な場合、コンピュータ・システムに対する参照はコンピューティング装置を包含し、逆も同様である。さらに、適切な場合、コンピュータ・システムに対する参照は、１つまたは複数のコンピュータ・システムを包含する。
【００５１】
本開示は、任意の適切な数のコンピュータ・システム９００を企図する。本開示は、任意の適切な物理的形態を取るコンピュータ・システム９００を企図する。限定ではなく例として、コンピュータ・システム９００は、組込みコンピュータ・システム、システム・オン・チップ（ＳＯＣ）、シングル・ボード・コンピュータ・システム（ＳＢＣ）（例えば、コンピュータ・オン・モジュール（ＣＯＭ）やシステム・オン・モジュール（ＳＯＭ）など）、デスクトップ・コンピュータ・システム、ラップトップもしくはノートブック・コンピュータ・システム、対話型キオスク、メインフレーム、コンピュータ・システムのメッシュ、携帯電話、携帯情報端末（ＰＤＡ）、サーバ、タブレット・コンピュータ・システム、またはこれらの２つ以上の組合せでよい。適切な場合、コンピュータ・システム９００は、１つまたは複数のコンピュータ・システム９００を含むことができ、一体型または分散型でよく、複数の場所にわたるものでよく、複数のマシンにわたるものでよく、複数のデータセンタにわたるものでよく、またはクラウド内に常駐することができ、クラウドは、１つまたは複数のネットワーク内の１つまたは複数のクラウド構成要素を含むことができる。適切な場合、１つまたは複数のコンピュータ・システム９００は、実質的な空間的または時間的な限定なしに、本明細書で説明または図示される１つまたは複数の方法の１つまたは複数のステップを実施することができる。限定ではなく例として、１つまたは複数のコンピュータ・システム９００は、本明細書で説明または図示される１つまたは複数の方法の１つまたは複数のステップをリアル・タイムに、またはバッチ・モードで実施することができる。適切な場合、１つまたは複数のコンピュータ・システム９００は、本明細書で説明または図示される１つまたは複数の方法の１つまたは複数のステップを異なる時刻または異なる場所で実施することができる。
【００５２】
特定の実施形態では、コンピュータ・システム９００は、プロセッサ９０２、メモリ９０４、ストレージ９０６、入力／出力（Ｉ／Ｏ）インターフェース９０８、通信インターフェース９１０、およびバス９１２を含む。本開示は、特定の構成の、特定の数の特定の構成要素を有する特定のコンピュータ・システムを説明および図示するが、本開示は、任意の適切な構成の、任意の適切な数の任意の適切な構成要素を有する任意の適切なコンピュータ・システムを企図する。
【００５３】
特定の実施形態では、プロセッサ９０２は、コンピュータ・プログラムを構成するような命令を実行するハードウェアを含む。限定ではなく例として、命令を実行するために、プロセッサ９０２は、内部レジスタ、内部キャッシュ、メモリ９０４、またはストレージ９０６から命令を取り出し（またはフェッチし）、その命令を復号化および実行し、次いで内部レジスタ、内部キャッシュ、メモリ９０４、またはストレージ９０６に１つまたは複数の結果を書き込むことができる。特定の実施形態では、プロセッサ９０２は、データ、命令、またはアドレスのための１つまたは複数の内部キャッシュを含むことができる。本開示は、適切な場合、任意の適切な数の任意の適切な内部キャッシュを含むプロセッサ９０２を企図する。限定ではなく例として、プロセッサ９０２は、１つまたは複数の命令キャッシュ、１つまたは複数のデータ・キャッシュ、および１つまたは複数の変換ルックアサイド・バッファ（translation lookaside buffer：ＴＬＢ）を含むことができる。命令キャッシュ内の命令は、メモリ９０４またはストレージ９０６内の命令のコピーでよく、命令キャッシュは、プロセッサ９０２によるそうした命令の検索を加速することができる。データ・キャッシュ内のデータは、プロセッサ９０２で実行中の命令が演算するためのメモリ９０４またはストレージ９０６内のデータ、プロセッサ９０２で実行中の後続の命令によるアクセスのために、またはメモリ９０４もしくはストレージ９０６に書き込むために、プロセッサ９０２で実行された以前の命令の結果、あるいは他の適切なデータのコピーでもよい。データ・キャッシュは、プロセッサ９０２による読取りまたは書込み演算を加速することができる。ＴＬＢはプロセッサ９０２のための仮想アドレス変換（virtual-address translation）を加速することができる。特定の実施形態では、プロセッサ９０２は、データ、命令、またはアドレス用の１つまたは複数の内部レジスタを含むことができる。本開示は、適切な場合、任意の適切な数の任意の適切な内部レジスタを含むプロセッサ９０２を企図する。適切な場合、プロセッサ９０２は、１つまたは複数の演算論理装置（arithmetic logic unit：ＡＬＵ）を含むことができ、マルチコア・プロセッサでよく、または１つまたは複数のプロセッサ９０２を含むことができる。本開示は特定のプロセッサを説明および図示するが、本開示は任意の適切なプロセッサを企図する。
【００５４】
特定の実施形態では、メモリ９０４は、プロセッサ９０２が実行するための命令、またはプロセッサ９０２が演算するためのデータを格納するメイン・メモリを含む。限定ではなく例として、コンピュータ・システム９００は、ストレージ９０６または別のソース（例えば、別のコンピュータ・システム９００など）からメモリ９０４に命令をロードすることができる。次いでプロセッサ９０２は、メモリ９０４から内部レジスタまたは内部キャッシュに命令をロードすることができる。命令を実行するために、プロセッサ９０２は、内部レジスタまたは内部キャッシュから命令を取り出し、その命令を復号化することができる。命令の実行中または実行後に、プロセッサ９０２は、１つまたは複数の結果（これは中間結果または最終結果でよい）を内部レジスタまたは内部キャッシュに書き込むことができる。次いでプロセッサ９０２は、そうした結果の１つまたは複数をメモリ９０４に書き込むことができる。特定の実施形態では、プロセッサ９０２は、（ストレージ９０６または他の場所ではなく）１つまたは複数の内部レジスタもしくは内部キャッシュ内、またはメモリ９０４内の命令のみを実行し、（ストレージ９０６または他の場所ではなく）１つまたは複数の内部レジスタもしくは内部キャッシュ内、またはメモリ９０４内のデータのみに対して演算する。１つまたは複数のメモリ・バス（これはそれぞれアドレス・バスおよびデータ・バスを含むことができる）が、プロセッサ９０２をメモリ９０４に結合することができる。バス９１２は、以下で説明するように、１つまたは複数のメモリ・バスを含むことができる。特定の実施形態では、１つまたは複数のメモリ管理ユニット（memory management unit：ＭＭＵ）が、プロセッサ９０２とメモリ９０４との間に常駐し、プロセッサ９０２によって要求されたメモリ９０４へのアクセスを可能にする。特定の実施形態では、メモリ９０４はランダム・アクセス・メモリ（ＲＡＭ）を含む。適切な場合、このＲＡＭは揮発性メモリでよい。適切な場合、このＲＡＭはダイナミックＲＡＭ（ＤＲＡＭ）またはスタティックＲＡＭ（ＳＲＡＭ）でよい。さらに、適切な場合、このＲＡＭは、単一ポートまたはマルチポートＲＡＭでよい。本開示は任意の適切なＲＡＭを企図する。適切な場合、メモリ９０４は、１つまたは複数のメモリ９０４を含むことができる。本開示は特定のメモリを説明および図示するが、本開示は任意の適切なメモリを企図する。
【００５５】
特定の実施形態では、ストレージ９０６は、データまたは命令用のマス・ストレージを含む。限定ではなく例として、ストレージ９０６は、ハード・ディスク・ドライブ（ＨＤＤ）、フロッピー（登録商標）・ディスク・ドライブ、フラッシュ・メモリ、光ディスク、光磁気ディスク、磁気テープ、またはユニバーサル・シリアル・バス（ＵＳＢ）ドライブ、あるいはこれらのうちの２つ以上の組合せを含むことができる。ストレージ９０６は、適切な場合、取外し可能または取外し不能（または固定）媒体を含むことができる。ストレージ９０６は、適切な場合、コンピュータ・システム９００の内部または外部でよい。特定の実施形態では、ストレージ９０６は不揮発性固体メモリである。特定の実施形態では、ストレージ９０６は読取り専用メモリ（ＲＯＭ）を含む。適切な場合、このＲＯＭは、マスクプログラムされたＲＯＭ、プログラマブルＲＯＭ（ＰＲＯＭ）、消去可能ＰＲＯＭ（ＥＰＲＯＭ）、電気消去可能ＰＲＯＭ（ＥＥＰＲＯＭ）、電気書換え可能ＲＯＭ（ＥＡＲＯＭ）、またはフラッシュ・メモリ、あるいはこれらのうちの２つ以上の組合せでよい。本開示は、任意の適切な物理的形態を有するマス・ストレージ９０６を企図する。適切な場合、ストレージ９０６は、プロセッサ９０２とストレージ９０６との間の通信を可能にする１つまたは複数のストレージ制御ユニットを含むことができる。適切な場合、ストレージ９０６は、１つまたは複数のストレージ９０６を含むことができる。本開示は特定のストレージを説明および図示するが、本開示は任意の適切なストレージを企図する。
【００５６】
特定の実施形態では、Ｉ／Ｏインターフェース９０８は、コンピュータ・システム９００と１つまたは複数のＩ／Ｏ装置との間の通信のための１つまたは複数のインターフェースを提供するハードウェア、ソフトウェア、またはその両方を含む。コンピュータ・システム９００は、適切な場合、これらのＩ／Ｏ装置のうちの１つまたは複数を含むことができる。これらのＩ／Ｏ装置のうちの１つまたは複数は、人とコンピュータ・システム９００との間の通信を可能にすることができる。限定ではなく例として、Ｉ／Ｏ装置は、キーボード、キーパッド、マイクロフォン、モニタ、マウス、プリンタ、スキャナ、スピーカ、スチル・カメラ、スタイラス、タブレット、タッチ・スクリーン、トラックボール、ビデオ・カメラ、別の適切なＩ／Ｏ装置、またはこれらのうちの２つ以上の組合せを含むことができる。Ｉ／Ｏ装置は１つまたは複数のセンサを含むことができる。本開示は、任意の適切なＩ／Ｏ装置およびそのための任意の適切なＩ／Ｏインターフェース９０８を企図する。適切な場合、Ｉ／Ｏインターフェース９０８は、プロセッサ９０２がこれらのＩ／Ｏ装置のうちの１つまたは複数を駆動することを可能にする１つまたは複数のデバイス・ドライバまたはソフトウェア・ドライバを含むことができる。Ｉ／Ｏインターフェース９０８は、適切な場合、１つまたは複数のＩ／Ｏインターフェース９０８を含むことができる。本開示は特定のＩ／Ｏインターフェースを説明および図示するが、本開示は任意の適切なＩ／Ｏインターフェースを企図する。
【００５７】
特定の実施形態では、通信インターフェース９１０は、コンピュータ・システム９００と、１つまたは複数の別のコンピュータ・システム９００あるいは１つまたは複数のネットワークとの間の通信（例えば、パケット・ベースの通信など）用の１つまたは複数のインターフェースを提供するハードウェア、ソフトウェア、またはその両方を含む。限定ではなく例として、通信インターフェース９１０は、イーサネット（登録商標）または他のワイヤ・ベースのネットワークと通信するネットワーク・インターフェース・コントローラ（network interface controller：ＮＩＣ）またはネットワーク・アダプタ、あるいはＷｉ−Ｆｉネットワークなどのワイヤレス・ネットワークと通信するワイヤレスＮＩＣ（wire-based network or a wireless：ＷＮＩＣ）またはワイヤレス・アダプタを含むことができる。本開示は、任意の適切なネットワークおよびそのための任意の適切な通信インターフェース９１０を企図する。限定ではなく例として、コンピュータ・システム９００は、アドホック・ネットワーク、パーソナル・エリア・ネットワーク（ＰＡＮ）、ローカル・エリア・ネットワーク（ＬＡＮ）、広域ネットワーク（ＷＡＮ）、大都市圏ネットワーク（metropolitan area network：ＭＡＮ）、またはインターネットの１つもしくは複数の部分、あるいはこれらのうちの２つ以上の組合せと通信することができる。これらのネットワークのうちの１つまたは複数の１つまたは複数の部分は、ワイヤードまたはワイヤレスでよい。１例を挙げると、コンピュータ・システム９００は、ワイヤレスＰＡＮ（ＷＰＡＮ）（例えば、ＢＬＵＥＴＯＯＴＨ  ＷＰＡＮなど）、Ｗｉ−Ｆｉネットワーク、ＷＩ−ＭＡＸネットワーク、携帯電話網（例えば、Global System for Mobile Communication（ＧＳＭ（登録商標））ネットワークなど）、または他の適切なワイヤレス・ネットワーク、あるいはこれらのうちの２つ以上の組合せと通信することができる。コンピュータ・システム９００は、適切な場合、これらのネットワークのいずれかに関する任意の適切な通信インターフェース９１０を含むことができる。通信インターフェース９１０は、適切な場合、１つまたは複数の通信インターフェース９１０を含むことができる。本開示は特定の通信インターフェースを説明および図示するが、本開示は任意の適切な通信インターフェースを企図する。
【００５８】
特定の実施形態では、バス９１２は、コンピュータ・システム９００の構成要素を互いに結合するハードウェア、ソフトウェア、またはその両方を含む。限定ではなく例として、バス９１２は、アクセラレーテッド・グラフィックス・ポート（Accelerated Graphics Port：ＡＧＰ）または他のグラフィックス・バス、Ｅｎｈａｎｃｅｄ  Ｉｎｄｕｓｔｒｙ  Ｓｔａｎｄａｒｄ  Ａｒｃｈｉｔｅｃｔｕｒｅ（ＥＩＳＡ）バス、フロント・サイド・バス（ＦＳＢ）、ＨＹＰＥＲＴＲＡＮＳＰＯＲＴ（ＨＴ）相互接続、Ｉｎｄｕｓｔｒｙ  Ｓｔａｎｄａｒｄ  Ａｒｃｈｉｔｅｃｔｕｒｅ（ＩＳＡ）バス、ＩＮＦＩＮＩＢＡＮＤ相互接続、低ピン・カウント（low-pin-count：ＬＰＣ）バス、メモリ・バス、Ｍｉｃｒｏ  Ｃｈａｎｎｅｌ  Ａｒｃｈｉｔｅｃｔｕｒｅ（ＭＣＡ）バス、Ｐｅｒｉｐｈｅｒａｌ  Ｃｏｍｐｏｎｅｎｔ  Ｉｎｔｅｒｃｏｎｎｅｃｔ（ＰＣＩ）バス、ＰＣＩ−Ｅｘｐｒｅｓｓ（ＰＣＩｅ）バス、ｓｅｒｉａｌ  ａｄｖａｎｃｅｄ  ｔｅｃｈｎｏｌｏｇｙ  ａｔｔａｃｈｍｅｎｔ（ＳＡＴＡ）バス、Ｖｉｄｅｏ  Ｅｌｅｃｔｒｏｎｉｃｓ  Ｓｔａｎｄａｒｄｓ  Ａｓｓｏｃｉａｔｉｏｎ  ｌｏｃａｌ（ＶＬＢ）バス、または別の適切なバス、あるいはこれらのうちの２つ以上の組合せを含むことができる。バス９１２は、適切な場合、１つまたは複数のバス９１２を含むことができる。本開示は特定のバスを説明および図示するが、本開示は、任意の適切なバスまたは相互接続を企図する。
【００５９】
本明細書では、コンピュータ可読非一時的記憶媒体は、適切な場合、１つまたは複数の半導体ベースの、または他の集積回路（ＩＣ）（例えば、フィールド・プログラマブル・ゲート・アレイ（ＦＰＧＡ）または特定用途向けＩＣ（ＡＳＩＣ）など）、ハード・ディスク・ドライブ（ＨＤＤ）、ハイブリッド・ハード・ドライブ（ＨＨＤ）、光ディスク、光ディスクドライブ（ＯＤＤ）、光磁気ディスク、光磁気ドライブ、フロッピィ・ディスケット、フロッピィ・ディスク・ドライブ（ＦＤＤ）、磁気テープ、固体ドライブ（ＳＳＤ）、ＲＡＭドライブ、セキュア・デジタル・カードもしくはドライブ、任意の他の適切なコンピュータ可読非一時的記憶媒体、またはこれらの２つ以上の適切な組合せを含むことができる。コンピュータ可読非一時的記憶媒体は、適切な場合、揮発性、不揮発性、または揮発性と不揮発性の組合せでよい。
【００６０】
本明細書では、別段に明記されていない限り、または文脈によって示されていない限り、「または」は排他的ではなく包含的である。したがって、本明細書では、別段に明記されていない限り、または文脈によって示されていない限り、「ＡまたはＢ」は「Ａ、Ｂ、またはその両方」を意味する。さらに、別段に明記されていない限り、または文脈によって示されていない限り、「および」は協同および個々の両方である。したがって、本明細書では、別段に明記されていない限り、または文脈によって示されていない限り、「ＡおよびＢ」は、「ＡおよびＢが一緒に、または個別に」を意味する。
【００６１】
本開示の範囲は、当業者なら理解するはずである、本明細書で説明または図示される例示的実施形態に対するすべての変更、置換、変形、改変、および修正を包含する。本開示の範囲は、本明細書で説明または図示される例示的実施形態に限定されない。さらに、本開示は、本明細書のそれぞれの実施形態が特定の構成要素、要素、機能、動作、またはステップを含むものとして説明および図示するが、これらの実施形態のいずれも、当業者なら理解するはずである、本明細書のどこかで説明または図示される構成要素、要素、機能、動作、またはステップのいずれかの任意の組合せまたは置換を含むことができる。さらに、特定の機能を実施するように適合され、配置され、実施することが可能であり、実施するように構成され、実施することが可能にされ、実施するように動作可能である装置またはシステムあるいは装置またはシステムの構成要素に対する添付の特許請求の範囲での参照は、その装置、システム、または構成要素がそのように適合され、配置され、可能であり、構成され、可能にされ、動作可能にされる限り、その装置、システム、構成要素またはその特定の機能が活動化され、オンにされ、またはロック解除されるか否かに関わらず、その装置、システム、構成要素を包含する。
【図１】
0006273049.tif 000002
【図２Ａ】
0006273049.tif 000003
【図２Ｂ】
0006273049.tif 000004
【図３】
0006273049.tif 000005
【図４】
0006273049.tif 000006
【図５Ａ】
0006273049.tif 000007
【図５Ｂ】
0006273049.tif 000008
【図６Ａ】
0006273049.tif 000009
【図６Ｂ】
0006273049.tif 000010
【図７Ａ】
0006273049.tif 000011
【図７Ｂ】
0006273049.tif 000012
【図８Ａ】
0006273049.tif 000013
【図８Ｂ】
0006273049.tif 000014
【図９】
0006273049.tif 000015